(57)【要約】【課題】本発明は、ユーザに所望の番組の録画予約を容易にさせることができる予約装置を提供する。【解決手段】表示装置２と入出力インターフェース１５を介して接続可能なコントローラ１４である。このコントローラ１４は、番組ストリームを取得する。また、コントローラ１４は、将来取得可脳な番組ストリームに対応する番組情報を取得する。コントローラ１４は、取得した番組情報を、フラッシュメモリ１２に記憶する。コントローラ１４は、リモコン３からの操作信号に基づいて複数の番組情報から1つの番組情報を指定番組情報として選択する。コントローラ１４は、選択された指定番組情報に関連する代替番組情報が、フラッシュメモリ１２に記憶された複数の番組情報に含まれる場合、この代替番組情報を示す画面情報を表示装置２に出力する。【選択図】図３
2010118723.tif 000002
【特許請求の範囲】
【請求項１】
表示装置と接続可能な予約装置であって、
番組ストリームを取得する第1取得手段と、
前記第１取得手段で将来取得可能な番組ストリームに対応する番組情報を取得する第２取得手段と、
前記第２取得手段で取得した番組情報を、自装置と接続可能な第１記憶媒体に記憶する記憶手段と、
ユーザからの指示に基づいて前記複数の番組情報から1つの番組情報を指定番組情報として選択する選択手段と、
前記選択された指定番組情報に関連する代替番組情報が、前記第１記憶媒体に記憶された複数の番組情報に含まれる場合、当該代替番組情報を示す画面情報を前記表示装置に出力する出力手段と、
を備える予約装置。
【請求項２】
前記表示装置に前記画面情報が出力された後、ユーザの指示に応じて前記代替番組情報に対応する番組ストリームの録画予約を受け付ける受付手段と、
前記受け付けた録画予約に基づいて、前記第１取得手段で取得した番組ストリームを、前記第１記憶媒体又は自装置と接続可能な第２記憶媒体に記録する録画手段と、
をさらに備える請求項1に記載の予約装置。
【請求項３】
前記受付手段は、前記表示装置に前記画面情報が出力された後、ユーザの指示に応じて前記指定番組情報に対応する番組ストリームの録画予約を受け付けるか前記代替番組情報に対応する番組ストリームの録画予約を受け付けるかを選択し、当該選択された番組情報に対応する番組ストリームの録画予約を受け付ける、
請求項２に記載の予約装置。
【請求項４】
前記代替番組情報は、前記指定番組情報と、各々に対応する番組ストリームが、同じ番組内容を有し、異なる補助的内容を有する点で関連する、
請求項1〜３の何れか1項に記載の予約装置。
【請求項５】
前記補助的内容は、字幕に関する情報、音声に関する情報、及び、解像度に関する情報の少なくとも何れかを含む、
請求項４に記載の予約装置。
【請求項６】
前記表示装置に前記画面情報が出力された後、ユーザの指示に応じて前記代替番組情報に対応する番組ストリームの視聴予約を受け付ける視聴予約受付手段と、
前記受け付けた視聴予約に基づいて、前記第１取得手段で取得した番組ストリームを前記表示装置に出力する番組ストリーム出力手段と、
をさらに備える請求項1に記載の予約装置
【請求項７】
前記請求項１に記載の予約装置を備えるレコーダー。
【請求項８】
表示装置と接続可能な予約装置であって、
番組ストリームを取得する第1取得手段と、
前記第１取得手段で将来取得可能な番組ストリームに対応する番組情報を取得する第２取得手段と、
前記第２取得手段で取得した番組情報を、自装置と接続可能な第１記憶媒体に記憶する記憶手段と、
ユーザからの指示に基づいて前記複数の番組情報から1つの番組情報を指定番組情報として選択する選択手段と、
前記選択された指定番組情報に対応する番組ストリームの放送時間が以前に予約された番組ストリームの録画又は視聴時間と少なくとも一部重複した場合において、当該指定番組情報又は当該録画予約された番組ストリームの番組情報に関連する代替番組情報が、前記第１記憶媒体に記憶された複数の番組情報に含まれる場合、当該代替番組情報を示す画面情報を前記表示装置に出力する重複時出力手段と、
を備える予約装置。
【発明の詳細な説明】
【技術分野】
【０００１】
本発明は、放送局からの放送に含まれる番組ストリームを記憶媒体に記録可能または表示装置に出力可能な予約装置に関する。より詳しくは、ユーザからの予約設定に応じて番組ストリームを、記憶媒体に記録又は表示装置に出力する予約装置に関する。なお、番組ストリームには、１つの番組に関する映像や音声、データ等が含まれている。
【背景技術】
【０００２】
従来の録画予約技術は、下記の特許文献１に記載するようなものが存在する。
【０００３】
特許文献１の録画予約技術は、録画予約が重複した場合に速やかな対応を可能にしたものである。この録画予約技術は、「録画予約が重複した場合には、その旨の警告画面を表示する。そして、重複予約した番組に再放送の予定があれば、再放送の予約に変更する」なる技術である。
【０００４】
なお、従来技術には、録画予約技術だけでなく、視聴予約技術もある。
【特許文献１】特開平１０−２１６０１号公報
【発明の開示】
【発明が解決しようとする課題】
【０００５】
ところで、近年、放送に含まれる番組ストリームには、番組内容が同じで、字幕、音声又は解像度等の補助的内容が異なるものが存在する。例えば、同じ番組内容で、「吹き替えあり」、又は、「吹き替えなし」のような番組ストリームが存在する。また、同じ番組内容で、「ＨＤ放送」、又は、「ＳＤ放送」のような番組ストリームも存在する。このように放送に含まれる番組ストリームは、番組内容が同じであり、補助的内容が異なるものが含まれている。
【０００６】
このような環境の中、ユーザには、番組を録画予約（又は、視聴予約）する際、吹き替えがある番組を好んで予約する人がいる。例えば、子供がいるユーザなどである。つまり、ユーザは番組ストリームの録画（視聴）に関して嗜好を持っており、ユーザに応じて、同じ番組内容でも録画（視聴）したい番組ストリームが異なることになる。
【０００７】
ここで現在の番組表（ＥＰＧ）を考えてみると、現在の番組表には、複数の番組ストリームに対応する番組情報が含まれている。すなわち、番組表に含まれる番組情報は膨大であり、ユーザはこの膨大な番組情報を含む番組表から、所望の番組を選択して録画（視聴）予約することは難しい。
【０００８】
そこで本発明は、上記課題を解決するために、ユーザに所望の番組の録画予約（又は、視聴予約）を容易にさせることができる予約装置を提供することを目的とする。
【課題を解決するための手段】
【０００９】
本発明は、表示装置と接続可能な予約装置である。本発明の予約装置は、番組ストリームを取得する第1取得手段と、前記第１取得手段で将来取得可能な番組ストリームに対応する番組情報を取得する第２取得手段と、前記第２取得手段で取得した番組情報を、自装置と接続可能な第１記憶媒体に記憶する記憶手段と、ユーザからの指示に基づいて前記複数の番組情報から1つの番組情報を指定番組情報として選択する選択手段と、前記選択された指定番組情報に関連する代替番組情報が、前記第１記憶媒体に記憶された複数の番組情報に含まれる場合、当該代替番組情報を示す画面情報を前記表示装置に出力する出力手段と、を備える。
【００１０】
このようにすれば、予約装置は、代替番組情報をユーザに提示できる。
【００１１】
また、好ましくは、前記表示装置に前記画面情報が出力された後、ユーザの指示に応じて前記代替番組情報に対応する番組ストリームの録画予約を受け付ける受付手段と、前記受け付けた録画予約に基づいて、前記第１取得手段で取得した番組ストリームを、前記第１記憶媒体又は自装置と接続可能な第２記憶媒体に記録する録画手段と、をさらに備える。
【００１２】
このようにすれば、予約装置は、提示した代替番組情報に基づいて、録画予約を受け付けることができる。
【００１３】
また、好ましくは、前記受付手段は、前記表示装置に前記画面情報が出力された後、ユーザの指示に応じて前記指定番組情報に対応する番組ストリームの録画予約を受け付けるか前記代替番組情報に対応する番組ストリームの録画予約を受け付けるかを選択し、当該選択された番組情報に対応する番組ストリームの録画予約を受け付ける。
【００１４】
また、好ましくは、前記代替番組情報は、前記指定番組情報と、各々に対応する番組ストリームが、同じ番組内容を有し、異なる補助的内容を有する点で関連する。
【００１５】
また、好ましくは、前記補助的内容は、字幕に関する情報、音声に関する情報、及び、解像度に関する情報の少なくとも何れかを含む。
【００１６】
また、好ましくは、前記表示装置に前記画面情報が出力された後、ユーザの指示に応じて前記代替番組情報に対応する番組ストリームの視聴予約を受け付ける視聴予約受付手段と、前記受け付けた視聴予約に基づいて、前記第１取得手段で取得した番組ストリームを前記表示装置に出力する番組ストリーム出力手段と、をさらに備える。
【００１７】
他の形態は、表示装置と接続可能な予約装置に関する。本形態は、番組ストリームを取得する第1取得手段と、前記第１取得手段で将来取得可能な番組ストリームに対応する番組情報を取得する第２取得手段と、前記第２取得手段で取得した番組情報を、自装置と接続可能な第１記憶媒体に記憶する記憶手段と、ユーザからの指示に基づいて前記複数の番組情報から1つの番組情報を指定番組情報として選択する選択手段と、前記選択された指定番組情報に対応する番組ストリームの放送時間が以前に予約された番組ストリームの録画又は視聴時間と少なくとも一部重複した場合において、当該指定番組情報又は当該録画予約された番組ストリームの番組情報に関連する代替番組情報が、前記第１記憶媒体に記憶された複数の番組情報に含まれる場合、当該代替番組情報を示す画面情報を前記表示装置に出力する重複時出力手段と、を備える。
【００１８】
このようにすれば、録画（視聴）予約が重複した場合であっても、より好ましい代替情報をユーザに提示できる。
【発明の効果】
【００１９】
すなわち、本発明によれば、ユーザに所望の番組の録画又は視聴予約を容易にさせることができる。
【発明を実施するための最良の形態】
【００２０】
（実施の形態１）
以下、本発明の一実施の形態に係るレコーダー１を説明する。
【００２１】
〔１．実施の形態１の概要〕
レコーダー１は、ユーザが選択した番組に関連する番組が存在する場合、その旨をユーザに報知する。これによって、ユーザはこの選択した番組と関連する番組を知ることができるので、ユーザは、番組の録画予約をする際、容易に所望の番組を録画予約できる。
【００２２】
〔２．レコーダー１と他の装置との関係（図１）〕
レコーダー１は、表示装置２、ネットワーク４及びアンテナ５と有線又は無線で接続可能である。以下、レコーダー１と接続可能な装置の説明を行なう。
【００２３】
アンテナ５は、放送局からの放送を受信し、レコーダー１に送信する。アンテナ５は、例えば、ＵＨＦアンテナやパラボラアンテナなどで実現可能である。
【００２４】
ネットワーク４は、放送局が持つサーバ装置等に接続されており、例えば、サーバ装置とレコーダー１を繋ぐ通信路である。つまり、サーバ装置は、ネットワーク４を介して、レコーダー１からの信号を受け付けることができる。また、サーバ装置は、レコーダー１からの信号に応じて、自装置に記憶された情報をレコーダー１に送信することができる。例えば、サーバ装置は、レコーダー１に、番組表を構成する複数の番組情報を送信することができる。
【００２５】
リモコン３は、ユーザの指示を受け付け、受け付けた指示に応じた操作信号をレコーダー１に送信するものである。リモコン３は、操作部３１と送信部３２を備えている。操作部３１は、複数の釦で構成され、ユーザによってこれら釦が操作されたことを検知する。送信部３２は、操作部３１が検知した操作に基づく操作信号を、レコーダー１に送信する。
【００２６】
表示装置２は、レコーダー１から送信された画面情報に基づいて、ディスプレー上に画面を表示する。表示装置２は、例えば、液晶ディスプレー、プラズマディスプレー、有機ＥＬディスプレーなどが考えられるがこれに限定されない。
【００２７】
〔３．レコーダー１の構成（図１）〕
レコーダー１の構成を説明する。レコーダー１は、チューナ１１、フラッシュメモリ１２、バッファメモリ１３、コントローラ１４、入出力インターフェース１５、受信部１６、アンテナ用端子１７、ＬＡＮ用コネクタ１８及びドライブ装置１９を備えてなる。以下具体的に説明する。
【００２８】
チューナ１１は、同調回路を持つ装置である。チューナ１１は、アンテナ５で受信した放送を、アンテナ用端子１７を介して取得する。ここで放送には、1又は複数の番組ストリーム及び将来放送される番組ストリームに対応する番組情報が含まれている。番組ストリームは、動画像、音声やデータなどを有する。番組情報は、図２に示すように、１つの番組に対して、「放送日」、「開始時間」、「継続時間」、「放送局」、「番組名」等のデータが含まれている。
【００２９】
チューナ１１は、放送から１つの番組ストリームを分離可能である。チューナ１１は、この分離された番組ストリームをデコードし、デコードされた番組ストリームをコントローラ１４に送信する。また、チューナ１１は、放送から番組情報を分離可能である。チューナ１１は、分離した番組情報をコントローラ１４に送信する。なお、本実施の形態では、番組ストリームをデコードする機能をチューナ１１に設けたが、コントローラ１４に設けてもかまわない。
【００３０】
コントローラ１４は、マイクロコンピュータで実現され、レコーダー１の各部を制御する。なお、コントローラ１４は、ハードワイヤードな回路で実現してもかまわない。
【００３１】
コントローラ１４は、チューナ１１から送信された番組ストリームを取得する。コントローラ１４は、取得した番組ストリームをフラッシュメモリ１２に記憶することが可能である。また、コントローラ１４は、取得した番組ストリームをドライブ装置１９に送信して、ドライブ装置１９に記憶させることが可能である。
【００３２】
コントローラ１４は、チューナ１１から送信された番組情報を取得する。コントローラ１４は、取得した番組情報を、フラッシュメモリ１２に記憶する。なお、本実施の形態では、放送に含まれる番組情報を用いた番組予約について説明を行うが、これに限られず、ネットワーク４を介して放送局などのサーバ装置から取得できる番組情報を用いて番組予約を行なってもよい。この場合、コントローラ１４は、所望のタイミングで、サーバ装置に番組情報を要求する要求信号を送信する。これによって、サーバ装置は、要求信号を受け付けると、複数の番組情報を送信する。
【００３３】
コントローラ１４は、リモコン３から送信された操作信号を、受信部１６を介して受信可能である。受信部１６は、リモコン３から送信される情報を受信するセンサである。受信部１６は、受信した情報をコントローラ１４に送信する。受信部１６は、例えば、赤外線センサなどで実現可能である。
【００３４】
コントローラ１４は、任意のサーバ装置から送信された情報を、ＬＡＮ用コネクタ１８を介して取得する。コントローラ１４は、取得した情報をフラッシュメモリ１２に記憶する。例えば、取得した情報は、複数の番組情報が考えられる。
【００３５】
コントローラ１４は、入出力インターフェース１５を介して、表示装置２に番組ストリームや画面情報を送信することが可能である。表示装置２は、コントローラ１４から受信した情報に基づいてディスプレー上に画面を表示する。
【００３６】
バッファメモリ１３は、コントローラ１４で制御処理を行う際に、ワークメモリとして作用する。バッファメモリ１３は、例えば、ＤＲＡＭなどで実現可能である。
【００３７】
フラッシュメモリ１２は、内蔵メモリとして用いられる。フラッシュメモリ１２は、アンテナ用端子１７の制御のためのプログラムや設定値などを記憶可能である。また、フラッシュメモリ１２は、番組情報や番組ストリームを記憶可能である。
【００３８】
ドライブ装置１９は、例えば、ハードディスクドライブやＢＤドライブで実現可能である。ドライブ装置１９は、コントローラ１４から送信された番組ストリームを、記憶媒体１９１に記憶する。なお、ドライブ装置１９が番組ストリームを記憶する記憶媒体１９１は、予めレコーダー１に設けられるハードディスクのようなものであってもよいし、ＢＤやＤＶＤのように取り替え可能な記録メディアであってもよい。
【００３９】
〔４．レコーダー１の動作〕
上述したレコーダー１の動作例を図３で説明する。レコーダー１は、番組情報に基づいた録画予約の機能を実現している。この機能を説明しつつ、本発明の一例を実施の形態に適用して説明する。
【００４０】
まず、従来の電子番組表に基づいた録画予約を説明する。コントローラ１４は、ユーザから電子番組表を表示する旨の指示（リモコン３からの操作信号）を受け付けた場合、フラッシュメモリ１２に記憶された複数の番組情報（例えば、番組名）を読み出し、読み出した番組情報を表示画面に変換して、表示装置２に出力する。表示装置２では、例えば、図４のような表示画面（電子番組表）が表示されることになる。表示装置２には、開始時間とチャンネルで二次元状に表現した複数の番組名が画面上に表示されている。
【００４１】
この際、ユーザは、リモコン３を操作して、複数の番組から所望の番組を選択する。このように所望の番組が選択されると、図５のような所望の番組を示す表示画面が表示装置２に表示される。そしてユーザは、選択した番組の予約指示を行なう。コントローラ１４は、リモコン３からの操作信号に応じて、番組表から選択された番組の予約指示を受け付ける。そしてコントローラ１４は、予約指示を受け付けた番組の番組情報をフラッシュメモリ１２に予約リストとして記憶する。
【００４２】
この後、コントローラ１４は、この予約リストにある番組情報に基づいて録画を行なう。レコーダー１の録画動作を簡単に説明する。コントローラ１４は、予約リストにある番組情報の開始時間が、レコーダー１が持つシステム時間になると、番組情報に含まれる放送局、つまり、チャンネルにチューナ１１を設定する。システム時間は、コントローラ1４に設けられるタイマーによって計数される。コントローラ１４は、チューナ１１から取得した番組ストリームをドライブ装置１９に送信し、この番組ストリームをドライブ装置１９に記憶させる。そしてコントローラ１４は、レコーダー１のシステム時間を用いて、開始時間から継続時間経過したことを検知すると、チューナ１１における番組ストリームの選択を停止させる。これによって番組ストリームの録画が終了する。なお、予約リストに基づく録画は、従来技術であるため、これに限られず、種々な方法で実現できる。
【００４３】
次に、本発明の一実施の形態に係るレコーダー１の動作例を説明する（図３）。
【００４４】
コントローラ１４は、上記のようにユーザの指示（リモコン３からの操作信号）に基づいて複数の番組から１つの番組が選択されたか否かを判別する（Ｓ１）。つまり、コントローラ１４は、表示した番組表から一つの番組が選択されたか否かを判別する。例えば、コントローラ１４は、図４の番組表から「映画ＡＢＣ（ＳＤ）」が選択されたか否かを判別する。「ＳＤ」は、ＳＤ放送の略称である。「ＨＤ」は、ＨＤ放送の略称である。ＳＤ放送とは、デジタル放送の標準放送のことである。ＳＤ放送では、地上波アナログと同等のサービスが提供される。ＨＤ放送とは、デジタルハイビジョン放送のことである。ＨＤ放送では、ＳＤ放送と比べて、高画質・高音質のサービスが提供される。
【００４５】
コントローラ１４は、ユーザの指示に基づいて、任意の番組の選択を受け付けると、この受け付けた番組の番組情報（以下、指定番組情報）を取得する（Ｓ２）。
【００４６】
そしてコントローラ１４は、このユーザによって選択された指定番組情報に関連する番組情報（以下、代替番組情報）がフラッシュメモリ１２に存在しないかを検索する（Ｓ３）。ここでコントローラ１４は、選択された指定番組情報と、番組内容が同じで、補助的内容が異なる代替番組情報を検索する。補助的内容が異なるとは、録画属性の少なくとも１つが異なることをいう。補助的内容には、少なくとも１つの録画属性が含まれる。録画属性が異なるとは、例えば、字幕のありとなし、音声が５．１ｃｈと２ｃｈ、吹き替えのありとなし、音声の数が２カ国対応と1カ国対応、解像度がＨＤとＳＤなどが考えられる。したがって、番組情報Ａが、番組内容「映画ＡＢＣ」、補助的内容「ＳＤ放送」を示す場合であって、番組情報Ｂが、番組内容「映画ＡＢＣ」、補助的内容「ＨＤ放送」を示す場合、番組情報Ａと番組情報Ｂは関連する番組情報になる。
【００４７】
この番組情報が関連するか否かの判断は、実施の形態１では、番組名から判断するようにしている。この番組名からの関連する番組情報を判断する方法について説明する。
【００４８】
まず、コントローラ１４は、２つの番組情報が関連するか否かを判断する際、各々の番組名を取得する。例えば、番組名には、番組情報Ａと番組情報Ｂの場合、「映画ＡＢＣ（ＳＤ）」と「映画ＡＢＣ（ＨＤ）」のように記載されている。
【００４９】
補助的内容は、ＳＤやＨＤなどのように一定の文字列を含んで配信される。したがって、コントローラ１４は、所定の文字列（ＳＤやＨＤなど）が番組名に含まれるか否かを判別する。そしてコントローラ１４は、所定の文字列として含まれる内容が異なる場合、補助的内容が異なると判断する。例えば、コントローラ１４は、所定の文字列として取得した補助的内容として、番組情報ＡにＳＤが含まれ、番組情報ＢにＨＤが含まれる場合、解像度が異なるため、補助的内容が異なると判断する。
【００５０】
また、コントローラ１４は、番組名の中のタイトルが一致するか否かで番組内容が同じか否かを判断する。番組のタイトルは、ＳＤやＨＤの所定の文字列を除去した部分になる。したがって、コントローラ１４は、上記の方法で、所定の文字列として判別された部分を番組名から除去し、残った部分の文字列を比較する。これによって、コントローラ１４は、番組のタイトルが一致するか否かを判別し、タイトルが一致すると判断した場合、番組内容が同じと判断する。
【００５１】
図３の説明に戻って、コントローラ１４は、ステップＳ３において代替番組情報が存在するか否かを判別する（Ｓ４）。コントローラ１４は、代替番組情報が存在しない場合、図５のような指定番組情報を示す表示画面を表示装置２に表示させ、指定番組情報で録画予約するか否かを判別する（Ｓ５−１）。そして、コントローラ１４は、指定番組情報で録画予約すると判別された場合、フラッシュメモリ１２の予約リストに指定番組情報を追加して記憶する（Ｓ５−２）。例えば、ユーザが、図５の「はい」を選択すると、コントローラ１４は、録画予約すると判断する。また、ユーザが、図５の「いいえ」を選択すると、コントローラ１４は、録画予約しないと判断する。コントローラ１４は、ステップＳ５−２の後、この動作を終了する。
【００５２】
一方、コントローラ１４は、代替番組情報が存在する場合、指定番組情報及び代替番組情報を示す表示画面を生成し、表示装置２に出力する（Ｓ６）。表示装置２では、例えば、図６のような画面が表示装置２に表示されることになる。この場合、コントローラ１４は、指定番組情報の録画予約又は代替番組情報の録画予約を受け付けたか否かを判別する（Ｓ７）。コントローラ１４は、録画予約を受け付けない場合、この動作を終了する。例えば、コントローラ１４は、ユーザの指示（リモコン３の操作信号）で、図６の「いいえ」が選択された場合、この動作を終了する。一方、コントローラ１４は、録画予約を受け付ける場合、受け付けた録画予約に応じて録画予約を行なう（Ｓ８〜１０）。例えば、コントローラ１４は、ユーザの指示（リモコン３の操作信号）で、図６の「はい」又は「映画ＡＢＣ（ＨＤ）を録画予約」が選択された場合、選択された項目が、代替番組情報の予約か否かを判別する（Ｓ８）。コントローラ１４は、代替番組情報の録画予約が指示された場合（項目「映画ＡＢＣ（ＨＤ）を録画」が選択された場合）、代替番組情報で録画予約を行なう（Ｓ９）。一方コントローラ１４は、指定番組情報の録画予約が指示された場合（項目「はい」が選択された場合）、指定番組情報で録画予約を行なう（Ｓ１０）。具体的に、コントローラ１４は、録画予約する番組情報を、予約リストとしてフラッシュメモリ１２に記憶する。
【００５３】
なお、本実施の形態では、代替番組情報が１つ抽出された場合を例に説明した。しかし、ステップＳ３において代替番組情報が複数抽出されることもある。したがってコントローラ１４は、このように代替番組情報が複数抽出された場合、抽出された代替番組情報を表示画面に変換する際、以下のような基準に基づいて表示画面を調整するとよい。
【００５４】
例えば、指定番組情報が「映画ＡＢＣ（ＳＤ・２ｃｈ・字幕なし）」であり、抽出された代替番組情報Ｘが「映画ＡＢＣ（ＨＤ・５．１ｃｈ・字幕なし）」であり、抽出された代替番組情報Ｙが「映画ＡＢＣ（ＳＤ・２ｃｈ・字幕あり）」である場合を例にして説明する。
【００５５】
コントローラ１４は、補助的内容に含まれる複数の録画属性（上記例の場合、解像度、音声、字幕）の差に基づいてステップＳ６で表示する表示画面を調整するとよい。例えば、コントローラ１４は、図７のように、指定番組情報との録画属性の差を色分けした表示画面を生成する。図７は、白黒で表示されるため文章で説明する。例えば、代替番組情報Ｘの場合、「映画ＡＢＣ（ＨＤ・５．１ｃｈ・字幕なし）」の「ＨＤ」のフォントを赤色で構成し、「５．１ｃｈ」のフォントを黄色で構成する。また、代替番組情報Ｙの場合、「映画ＡＢＣ（ＳＤ・２ｃｈ・字幕あり）」の「字幕あり」のフォントを青色で構成する。このようにすれば、ユーザは、録画属性の違いを容易に把握できる。
【００５６】
なお、代替番組情報を示す表示画面には、図７のように、録画日時を表示するようにしてもよい。このようにすれば、ユーザは、代替番組が何時、録画されるのかを確認することができる。また、図７では、補助的内容に含まれる録画属性の全てを、表示画面に含むようにした。しかし、これに限られず、指定番組情報の録画属性と異なる属性を、代替番組情報を示す表示画面に含んでもかまわない。例えば、代替番組情報Ｘでは、録画属性の解像度に関する情報と音声に関する情報が表示画面に含まれることになる。また、代替番組情報Ｙでは、録画属性の字幕に関する情報が含まれることになる。
【００５７】
また、コントローラ１４は、番組情報にジャンル情報が含まれていれば、番組情報のジャンルに基づいて表示画面を調整するとよい。例えば、コントローラ１４は、「映画ＡＢＣ」が「子供向け」や「アニメ」のジャンルに含まれる場合、図８のように、「字幕あり」の代替番組情報Ｙを表示画面の上の方に優先した表示画面を生成する。なお、図８では、２つの代替番組情報Ｘ，Ｙを両方表示するようにしたが、図９のように、一方だけであってもかまわない。このようにすれば、例えば、ジャンル「アニメ」の番組を視聴するユーザが、頻繁に録画する可能性の高い番組の補助的内容を予め決めておいて、その番組のみを表示させることができる。これによって、複数の情報が提示され、ユーザが混乱するといったことを軽減できる。
【００５８】
また、コントローラ１４は、録画属性の変化量（異なる属性の数）に基づいて表示画面を生成する。例えば、コントローラ１４は、録画属性の変化量の小さいものを優先した表示画面とする。ここで指定番組情報に対して、代替番組情報Ｘは、変化量（異なる属性の数）が「２」であり、代替番組情報Ｙは、変化量が「１」である。したがって、コントローラ１４は、上記の例と同様の図８のように、代替番組情報が優先した表示画面を生成する。このようにすれば、ユーザが録画しようとした番組に最も近い番組を代替番組として表示することができる。
【００５９】
また、コントローラ１４は、録画属性の変化量に重み付けをして、重み付けした合計変化量の小さいものを優先した表示画面を生成する。フラッシュメモリ１２には、予め規定された録画属性の重みが記憶されている。例えば、音声に関する情報の録画属性の重みには「７」、解像度の録画属性の重みには「２」、字幕に関する情報の重みには「１０」が記憶されている。したがって、コントローラ１４は、これらの重みを利用して変化量に重み付けをする。コントローラ１４は、これらの変化量に重み付けしたものの合計量が小さいものを、優先して表示画面を生成する。例えば、上記例の場合、指定番組情報に対して、代替番組情報Ｘの変化量（重み付き変化量の合計量）が「９」となり、代替番組情報Ｙの変化量が「１０」となる。
【００６０】
また、コントローラ１４は、過去にユーザが予約した際の嗜好に基づいて、表示画面を生成する。例えば、レコーダー１は、ユーザに対して代替番組情報を提示した場合に受け付けた録画予約に関する情報を、フラッシュメモリ１２に記憶する。つまり、レコーダー１は、図６のような表示画面を表示装置に表示させた場合において、映画ＡＢＣ（ＨＤ）の録画予約を受け付けた場合、ユーザの嗜好情報として、「ＨＤ」を記憶する。この後、コントローラー１４は、表示画面を作成する際、嗜好情報として記憶された「ＨＤ」を用いて、「ＨＤ」が表示画面の上位に表示されるように表示画面を調整する。これによって、ユーザは、自分の嗜好に基づいた録画予約を容易にできるようになる。
【００６１】
また、コントローラ１４は、他の予約と重複しない時間帯の代替番組情報を優先した表示画面を生成する。コントローラ１４は、予約リストに基づいて、代替番組情報が他の録画予約の録画時間と重複しないかを判断できる。このようにすれば、他の時間帯で予約が重複しない代替番組情報をユーザに提示できる。
【００６２】
また、コントローラ１４は、過去に録画されたことのない代替番組情報を優先した表示画面を生成する。例えば、コントローラ１４は、番組ストリームを録画する際、録画番組リストをフラッシュメモリ１２に作成する。これによって、コントローラ１４は、この作成あれた録画番組リストと比較することで、過去に録画されたことのない代替番組情報を判断できる。このようにすれば、過去に録画した以外の番組を提示することができる。
【００６３】
〔５．実施の形態と本発明の対応〕
レコーダー１は、本発明のレコーダーの一例である。また、コントローラ１４は、本発明の予約装置の一例である。表示装置２は、本発明の表示装置２の一例である。コントローラ１４は、本発明の第１取得手段、第２取得手段、記憶手段、選択手段及び出力手段の一例である。フラッシュメモリ１２は、本発明の第１記憶媒体の一例である。記憶媒体１９１は、本発明の第２記憶媒体の一例である。
【００６４】
また、コントローラ１４は、本発明の受付手段、録画手段の一例である。
【００６５】
〔６．まとめ〕
表示装置２と入出力インターフェース１５を介して接続可能なコントローラ１４である。このコントローラ１４は、番組ストリームを取得する。また、コントローラ１４は、将来取得可脳な番組ストリームに対応する番組情報を取得する。コントローラ１４は、取得した番組情報を、フラッシュメモリ１２に記憶する。コントローラ１４は、リモコン３からの操作信号に基づいて複数の番組情報から1つの番組情報を指定番組情報として選択する。コントローラ１４は、選択された指定番組情報に関連する代替番組情報が、フラッシュメモリ１２に記憶された複数の番組情報に含まれる場合、この代替番組情報を示す画面情報を表示装置２に出力する。
【００６６】
このようにすれば、コントローラ１４は、選択された番組と関連する番組を、ユーザに報知することができる。これによって、ユーザは、番組の録画予約をする際、容易に所望の番組を録画予約できる。
【００６７】
（実施の形態２）
実施の形態２を説明する。実施の形態２は、実施の形態１と異なる構成を説明するため、実施の形態1と同じ構成については説明を省略する。「２．レコーダー１と他の装置との関係」及び「３．レコーダー１の構成」については省略する。
【００６８】
〔１．実施の形態２の概要〕
レコーダー１は、ユーザによる番組の録画予約が以前に録画予約された番組と重複する場合、今回に録画予約された番組又は以前に録画予約された番組に関連する番組を、ユーザに報知する。これによって、ユーザは、新たに録画したい番組があるために、他の番組が同じ時間帯で録画できなくなる場合であっても、両方の番組を録画でき、より好ましい番組を録画することができる。
【００６９】
〔２．レコーダー１の動作〕
実施の形態２の動作例を図１０で説明する。
【００７０】
コントローラ１４は、ユーザの指示に基づいて録画予約を受け付けたか否かを判別する（Ｔ１）。例えば、コントローラ１４は、図４の番組表から「映画ＡＢＣ（ＳＤ）」がユーザによって選択されると、図５のような表示画面を表示装置２に表示させる。そしてコントローラ１４は、図５の「はい」がユーザによって選択指示されると、録画予約を受け付けがあったと判断する。ユーザの選択は、リモコン３の操作信号をコントローラ１４が受け付けることで判断できる。
【００７１】
コントローラ１４は、ユーザの指示（リモコン３からの操作信号）に基づいて、任意の番組の予約指示を受け付けると、この受け付けた番組の番組情報（以下、指定番組情報）を取得する（Ｔ２）。
【００７２】
この際、コントローラ１４は、フラッシュメモリ１２から予約リストを取得する（Ｔ３）。コントローラ１４は、指定番組情報の録画時間が、予約リストにある番組情報の録画時間と重複するか否かを判別する（Ｔ４）。
【００７３】
コントローラ１４は、指定番組情報の録画時間が予約リストの番組情報の録画時間と重複しない場合、指定番組情報を予約リストに追加して記憶する（Ｔ５）。コントローラ１４は、ステップＴ５の後、この動作を終了する。
【００７４】
一方、コントローラ１４は、指定番組情報の録画時間が予約リストの番組情報の録画時間と重複する場合、図１１のように、重複する旨を報知する画面を表示装置２に表示させ、指定番組情報で録画予約するか否かを判別する（Ｔ６）。図１１は、「映画ＡＢＣ（ＳＤ）」が指定番組情報であり、「アニメＡＢＣ」が以前に録画予約された番組情報である。
【００７５】
コントローラ１４は、指定番組情報で録画予約する場合（図１１で、ユーザが「映画ＡＢＣ」を選択操作）、重複した予約リストの番組情報を予約リストから消去し、指定番組情報を予約リストに追加する（Ｔ７）。そしてコントローラ１４は、消去された予約リストの番組情報に関連する番組情報（以下、予約済代替番組情報）が、フラッシュメモリ１２に記憶された複数の番組情報に存在するか否か検索する（Ｔ８）。予約済代替番組情報は、実施の形態1と同様の方法で検索することができる。そしてステップＴ１０に移行する。ステップＴ８からステップＴ１０に移行した場合については、予約済代替番組情報に基づいてＴ１０以降の動作を行う。
【００７６】
一方、コントローラ１４は、ステップＴ６において、指定番組情報で録画予約しない場合（図１１で、ユーザが「アニメＡＢＣ」を選択操作）、指定番組情報に関連する番組情報（代替番組情報）が、フラッシュメモリ１２に記憶された複数の番組情報に存在するか否かを検索する（Ｔ９）。そしてステップＴ１０に移行する。ステップＴ９からステップＴ１０に移行した場合については、代替番組情報に基づいてＴ１０以降の動作を行う。
【００７７】
コントローラ１４は、予約済代替番組情報（又は、代替番組情報）が存在するか否かを判別する（Ｔ１０）。コントローラ１４は、予約済代替番組情報（又は、代替番組情報）が存在しない場合、この動作を終了する。一方、コントローラ１４は、予約済代替番組情報（又は、代替番組情報）が存在する場合、代替番組情報を示す表示画面を生成し、表示装置２に出力する（Ｔ１１）。表示装置２には、例えば、図１２のような表示画面が表示されることになる。図１２は、代替番組情報「映画ＡＢＣ（ＨＤ）」を示す表示画面の例である。
【００７８】
この場合、コントローラ１４は、予約済代替番組情報（又は、代替番組情報）の録画予約を受け付けたか否かを判別する（Ｔ１２）。コントローラ１４は、予約済代替番組情報（又は、代替番組情報）の録画予約を受け付けない場合、この動作を終了する。例えば、コントローラ１４は、ユーザの指示（リモコン３からの操作信号）で、図１２の「録画予約しない」が選択された場合、この動作を終了する。一方、コントローラ１４は、予約済代替番組情報（又は、代替番組情報）の録画予約を受け付けた場合、録画予約に基づいて、予約済代替番組情報（又は、代替番組情報）の録画予約を行なう（Ｔ１３）。例えば、コントローラ１４は、ユーザの指示（リモコン３からの操作信号）で、図１２の「録画予約する」が選択指示された場合、予約済代替番組情報（又は、代替番組情報）をフラッシュメモリ１２の予約リストに追加する。これによって、レコーダー１の録画予約動作を終了する。
【００７９】
〔３．実施の形態２と本発明の対応〕
コントローラ１４は、本発明の重複時出力手段の一例である。
【００８０】
（他の実施の形態）
本発明の実施の形態として、実施の形態１を例示した。しかし、本発明は、実施の形態１に限定されず、他の実施の形態においても実現可能である。そこで、本発明の他の実施の形態を以下にまとめて説明する。
【００８１】
実施の形態１では、番組情報の番組名に基づいて、番組情報が他の番組情報と関連するか否かを判別した。しかし、これに限られず、以下のようにしてもかまわない。例えば、番組情報として、「番組名」、「字幕あり又は字幕なしを示す字幕フラグ」、「ＳＤ又はＨＤを示す解像度フラグ」、「５．１ｃｈ又は２ｃｈを示す音声フラグ」が含まれた場合、コントローラ１４は、このフラグ情報に基づいて、補助的内容が異なるか否かを判別することが可能になる。例えば、字幕フラグ「１」の際、字幕ありで、字幕フラグ「０」の際、字幕なしに割り当てがあれば、番組情報に基づいて字幕あり又はなしを判別することが可能になる。
【００８２】
実施の形態では、レコーダー１に設けられたコントローラ１４を予約装置の一例として説明を行なった。しかし、これに限られず、テレビ受像機に設けられるＬＳＩに適用してもかまわない。この場合、例えば、テレビ受像機は、ハードディスクドライブを備えて、ハードディスクに番組ストリームを録画すればよい。
【００８３】
また、実施の形態では、録画予約に関して代替番組情報の提示を行なった。しかし、これに限られず、視聴予約に関して代替番組情報の提示を行なってもよい。この場合、コントローラは、代替番組情報を示す表示画面を表示装置に表示させ、ユーザの操作に応じて視聴予約を受け付けるようすればよい。コントローラは、受け付けた視聴予約を視聴予約リストとしてフラッシュメモリに記憶する。コントローラは、この視聴予約リストに基づいて、取得した番組ストリームを表示装置に出力する。なお、この場合、コントローラは、視聴予約受付手段と番組ストリーム出力手段の一例である。
【００８４】
実施の形態２では、レコーダー１は、ユーザの録画予約の指示に応じて指示された番組が、以前に録画予約された番組と、重複した時間帯に放送される場合、指示された番組及び以前に録画予約された番組に関連する番組を、ユーザに報知する。これによって、ユーザは、新たに録画したい番組があるために、他の番組が同じ時間帯で録画できなくなる場合であっても、両方の番組を録画でき、より好ましい番組を録画することができる。
【００８５】
また、実施の形態では、レコーダーと表示装置を有線で接続した。しかし、これに限られず、無線で接続してもかまわない。また、レコーダーと表示装置は、直接接続してもよいし、間にセットトップボックスなどの他の装置を介してもよい。
【００８６】
すなわち、本発明は、上記実施の形態に限られず、種々の形態で実施可能である。
【産業上の利用可能性】
【００８７】
本発明の予約装置は、ＢＤやＤＶＤなどのレコーダーに設けられるシステムＬＳＩなどに適用可能である。また、本発明の予約装置は、テレビ受像機に設けられるシステムＬＳＩなどに適用可能である。
【図面の簡単な説明】
【００８８】
【図１】本発明の実施の形態に係るレコーダー1の構成例を示すブロック図
【図２】本発明の実施の形態に係る番組情報の一例を示す図
【図３】本発明の実施の形態1に係るコントローラ１４の動作例を説明するためのフローチャート
【図４】本発明の実施の形態１に係る表示画面例を示す図
【図５】本発明の実施の形態１に係る表示画面例を示す図
【図６】本発明の実施の形態１に係る表示画面例を示す図
【図７】他の実施の形態に係る表示画面例を示す図
【図８】他の実施の形態に係る表示画面例を示す図
【図９】他の実施の形態に係る表示画面例を示す図
【図１０】本発明の実施の形態２に係るコントローラ１４の動作例を説明するためのフローチャート
【図１１】本発明の実施の形態２に係る表示画面例を示す図
【図１２】本発明の実施の形態２に係る表示画面例を示す図
【符号の説明】
【００８９】
１    レコーダー
１１    チューナ
１２    フラッシュメモリ
１３    バッファメモリ
１４    コントローラ
１５    入出力インターフェース
１６    受信部
１７    アンテナ用端子
１８    ＬＡＮ用コネクタ
１９    ドライブ装置
１９１    記憶媒体
２    表示装置
３    リモコン
３１    操作部
３２    送信部
４    ネットワーク
５    アンテナ
【図１】
2010118723.tif 000003
【図２】
2010118723.tif 000004
【図３】
2010118723.tif 000005
【図４】
2010118723.tif 000006
【図５】
2010118723.tif 000007
【図６】
2010118723.tif 000008
【図７】
2010118723.tif 000009
【図８】
2010118723.tif 000010
【図９】
2010118723.tif 000011
【図１０】
2010118723.tif 000012
【図１１】
2010118723.tif 000013
【図１２】
2010118723.tif 000014